(57)【要約】【課題】  手軽にデータのバックアップができ、そのメモリカードの取り出し及びデータの携帯電話機へのリストアの際には必ず保存した本人確認を、携帯電話機側から転送される情報を充電器２００内の制御回路で確認して、第三者への情報漏れを防ぐことを可能とすることも課題とする。【解決手段】  携帯電話機１００の充電器２００において、携帯電話機１００に保存されるデータを保存するための不揮発性メモリカード２３１を備える。不揮発性メモリカード２３１は取り外し可能である。【選択図】  図１
2005260461.tif 000002
【特許請求の範囲】
【請求項１】
携帯端末の充電器において、前記携帯端末に保存されるデータを保存するための不揮発性メモリを備えることを特徴とする携帯端末の充電器。
【請求項２】
前記不揮発性メモリは取り外し可能であることを特徴とする請求項１記載の携帯端末の充電器。
【請求項３】
前記不揮発性メモリに保存されるデータを、前記携帯端末のメモリに書き戻すことができることを特徴とする請求項１又は２記載の携帯端末の充電器。
【請求項４】
前記書き戻す際に、前記携帯端末を使用する人を識別するための識別情報を照合することを特徴とする請求項３記載の携帯端末の充電器。
【請求項５】
前記携帯端末は携帯電話機であることを特徴とする請求項１から４のいずれか１項記載の携帯端末の充電器。
【請求項６】
前記携帯端末はＰＤＡであることを特徴とする請求項１から４のいずれか１項記載の携帯端末の充電器。
【発明の詳細な説明】
【技術分野】
【０００１】
本発明は、携帯端末の充電器に関し、特に、バックアップ可能な携帯端末の充電器に関する。
【背景技術】
【０００２】
最近の携帯電話機の進歩は目覚しく、それに伴って携帯電話機に内蔵されているメモリ容量も増加している。特に撮影機能を内蔵した携帯電話機が登場してから、撮影した画像データ用に内蔵メモリの大部分が使用されている。
【０００３】
また、携帯電話機に保存されているデータもその重要性を増しており、バックアップしたデータに対しても第三者への流出は避けねばならない。
【０００４】
バックアップの手段として、パーソナルコンピュータなどへデータを転送する装置を使ってパーソナルコンピュータの記憶装置に保存するか、携帯電話機にあらかじめ取り出し可能な不揮発メモリカードへ保存する機能を設け、それにデータを保存する方法が一般的である。
【特許文献１】特開２０００−０６９１４４号公報
【特許文献２】特開２００３−１８８９５４号公報
【発明の開示】
【発明が解決しようとする課題】
【０００５】
この場合、携帯電話機の使用者は、あらかじめ携帯電話機内のデータを外部装置へバックアップするということを意識しなければならず、面倒あるいは不便に感じることがある。
【０００６】
外部取り出し可能な不揮発メモリカードへ保存する場合も、その不揮発メモリカードを入れたままの状態で携帯電話機が壊れたり、無くしてしまった場合は、データのバックアップという本来の目的さえ意味をなさなくなる。
【０００７】
解決手段のひとつとして、充電器にデータバックアップ用不揮発メモリを内蔵する方法がある。携帯電話機の電池の充電は、携帯電話機を使用するうえで必ず行わなければならない作業であり、この電池充電と同時に携帯電話機のデータバックアップを行うことによって、携帯電話機使用者は、ほとんど意識することなくデータのバックアップを行うことができる。
【０００８】
しかしながら、充電器のメモリ容量が固定であると、年々増加する携帯電話機のメモリ容量に対応できなくなる恐れがある。
【０００９】
そのため、本発明は、記憶容量を交換することを可能とすることも課題とする。
【００１０】
また、バックアップしたデータを携帯電話機にリストアする場合にも第三者への情報流出を避ける対策が必要である。
【００１１】
充電池側に携帯電話機使用者本人確認用の外部入力手段を付加することも考えられるが、それでは使用者にバックアップ作業を意識させることになる。また、充電器側装置も大型化、複雑化することになり充電器のコストアップに繋がり易くなってしまう。
【００１２】
また、本発明は、手軽にデータのバックアップができ、そのメモリカードの取り出し及びデータの携帯電話機へのリストアの際には必ず保存した本人確認を、携帯電話機側から転送される情報を充電器内の制御回路で確認して、第三者への情報漏れを防ぐことを可能とすることも課題とする。
【課題を解決するための手段】
【００１３】
本発明は、上記課題を解決するための手段として、携帯端末の充電器において、前記携帯端末に保存されるデータを保存するための不揮発性メモリを備えることを特徴とする。
【００１４】
また、本発明は、前記不揮発性メモリは取り外し可能であることを特徴とする。
【００１５】
さらに、本発明は、前記不揮発性メモリに保存されるデータを、前記携帯端末のメモリに書き戻すことができることを特徴とする。
【００１６】
また、本発明は、前記書き戻す際に、前記携帯端末を使用する人を識別するための識別情報を照合することを特徴とする。
【００１７】
また、本発明は、前記携帯端末は携帯電話機であることを特徴とする。
【００１８】
また、本発明は、前記携帯端末はＰＤＡであることを特徴とする。
【発明の効果】
【００１９】
本発明によれば、充電器に不揮発メモリを搭載することで、携帯電話機の充電ができると同時に個人データのバックアップをすることもでき、別途データバックアップ専用装置を用意することもなく、また手間のかかるデータバックアップ操作も必要としない。
【００２０】
バックアップした個人データの書き戻し（リストア）時に、使用者の識別情報を確認することで、第三者へバックアップデータが流出、使用される不安がない。
【００２１】
充電器のデータバックアップ用のメモリを外部取り出し可能な不揮発メモリカードとすることで、将来的に携帯電話機の個人データ用メモリ容量が大きくなっても、不揮発メモリカードを交換することで対応可能である。
【００２２】
充電器側にキー入力装置や、表示装置をつけず、携帯電話機側で操作することで余計なコストをかける必要もなく、充電器が大型化、複雑化することもない。
【発明を実施するための最良の形態】
【００２３】
以下、添付図面を参照して本発明を実施するための最良の実施の形態を説明する。
【００２４】
[構成の説明]
図１は、携帯電話機１００と充電器２００の構成を示すブロック図である。
【００２５】
本実施の形態の携帯電話機１００は、ＣＰＵ（中央処理装置）を内蔵した制御部１０２を介して携帯電話機１００内部の各部と接続されている。
【００２６】
メモリ部１０３は主に、固定データ格納用メモリ１０４、作業用メモリ１０５及び個人データ用メモリ１０６の三つのメモリを備えている。
【００２７】
固定データ格納用メモリ１０４は、制御プログラムや辞書等の書き換えられることのないデータが格納されたメモリである。
【００２８】
作業用メモリ１０５は、制御プログラムを実行する上で一時的にデータを格納するためのメモリである。
【００２９】
個人データ用メモリ１０６は、携帯電話機１００の使用者が保存したデータを格納するメモリであり、不揮発性のメモリである。携帯電話機１００の使用者が保存したデータとは、例えば、電話番号、電子メールアドレス、画像データ、インターネットやパーソナルコンピュータ等からダウンロードしたアプリケーションソフト等である。また、これらデータを保存した携帯電話機１００の使用者の個人識別情報、例えば、暗証番号や生年月日等も含む。
【００３０】
キー入力部１０７は、携帯電話機１００の使用者が数値や文字を入力するための第１のヒューマン入力部である。
【００３１】
大型表示部１０８は、例えば液晶ディスプレイのような携帯電話機１００の使用者が数値、文字、画像等を目で見るための第１のヒューマン出力部である。
【００３２】
タイマー１０９は、時間を計測するものであり、例えば、キー入力までの時間などを計測する。
【００３３】
音声部１１０は、第２のヒューマン入力部であるマイクロホン１１１から入力された音声をアナログデータからデジタルデータに変換し、第２のヒューマン出力部であるスピーカ１１２へ出力する音声をデジタルデータからアナログデータに変換する部分である。
【００３４】
無線によるデータの送受信は、アンテナ１１３、アンテナ共用部１１４、受信部１１５、ベースバンド部１１６及び送信部１１７で行われる。
【００３５】
アンテナ１１３で受信したデータは、アンテナ共用部１１４を介して受信部１１５に渡され受信部１１５で復調される。復調されたデータは、ベースバンド部１１６にて復号化され制御部１０２へ送られる。
【００３６】
送信されるデータは、制御部１０２からベースバンド部１１６に渡され、ベースバンド部１１６で符号化され、送信部１１７で変調されてアンテナ共用部１１４を介してアンテナ１１３から送信される。
【００３７】
電源制御部１１８は、携帯電話機１００の電力を制御するとともに、充電式電池１１９の充電容量及び充電状態を検出する。
【００３８】
カメラモジュール１２０は、背景や人物等の静止画や動画を撮影する画像入力部を示す。
【００３９】
表示部１２１は、充電が完了したことや電源がＯＮしたりＯＦＦしたりすることなどの情報を発光表示で表す箇所である。大型表示部１０８とは別の出力部である。
【００４０】
充電端子１２２は、充電器２００から充電式電池１１９に電力を供給するための端子である。
【００４１】
データ入出力端子１２３は、充電器２００とのデータや制御信号の送受信を行うための端子であり、充電器２００の他にパーソナルコンピュータとのデータ送受信にも使用される。
【００４２】
携帯電話機１００側の充電器２００との接続は、充電端子１２２とデータ入出力端子１２３とで行われる。
【００４３】
また、本実施の形態の充電器２００は、充電制御部２２９とデータバックアップ制御部２３０とが充電器２００内部の各部と接続されている。
【００４４】
外部の電源である交流電源３００から供給された交流電力は、ＡＣ／ＤＣ部２２８で直流電力に変換され、充電端子２２５から充電端子１２２を介して携帯電話機１００の充電式電池１１９に供給される。充電制御部２２９はＡＣ／ＤＣ部２２８の電力供給を制御する。
【００４５】
データバックアップ制御部２３０は、充電状態を監視したり、データバックアップ状態を監視したりし、その情報を元にして不揮発メモリカード２３１の制御を行う。
【００４６】
不揮発メモリカード２３１は、携帯電話機１００から送られてくるデータをバックアップするためのメモリで、充電器２００から取り外すことができ、電源がＯＦＦされても保存したデータが消えない不揮発性のメモリである。
【００４７】
［動作の説明］ 
図１の携帯電話機１００と充電器２００の動作について説明する。図２は、本実施の形態の携帯電話機１００の個人データ用メモリ１０６から充電器２００の不揮発メモリカード２３１にデータを保存する動作を示すフローチャートである。図３は大型表示部１０８が表示する画面の一例である。
【００４８】
携帯電話機１００の充電端子１２２と充電器２００の充電端子２２５を接続するとともに、携帯電話機１００のデータ入出力端子１２３と充電器２００のデータ入出力端子２２６を接続する（ステップＳ１）。
【００４９】
充電器２００を交流電源３００と接続する（ステップＳ２）。ここまでの接続が完了したら、携帯電話機１００内の充電式電池１１９に充電を開始する（ステップＳ３）。
【００５０】
同時に、充電制御部２２９はデータバックアップ制御部２３０に対して携帯電話機１００内の個人データ用メモリ１０６に保存されるデータをバックアップすることを要求する（ステップＳ４）。
【００５１】
データバックアップ制御部２３０は、データ入出力端子２２６及びデータ入出力端子１２３を介して、携帯電話機１００の制御部１０２に対し、個人データ用メモリ１０６に保存されたデータを充電器２００内の不揮発メモリカード２３１に転送するように要求する（ステップＳ５）。
【００５２】
制御部１０２は、データバックアップ制御部２３０からの要求に対して個人データ用メモリ１０６に保存されるデータを、充電器２００内の不揮発メモリカード２３１に転送するか否かという判断を使用者に仰ぐために、図３に示すメッセージを大型表示部１０８に表示する（ステップＳ６）。
【００５３】
使用者によってキー入力部１０７の０キーが押された、又はタイマー１０９の計測時間内に図３の表示内容に対して使用者が何の反応を示さない場合（ステップＳ７／Ｎｏ）、制御部１０２は個人データ用メモリ１０６に保存されるデータを不揮発メモリカード２３１に転送する（ステップＳ８）。
【００５４】
転送するデータには、携帯電話機１００の使用者を識別するデータ、例えば、キー入力部１０７を使って入力した暗証番号及び生年月日等の個人識別情報なども転送する。
【００５５】
使用者によってキー入力部１０７の１キーが押された場合（ステップＳ７／Ｙｅｓ）、個人データ用メモリ１０６に保存されるデータの転送は行わず、充電式電池１１９の充電の終了を確認し（ステップＳ９）、表示部１２１にその旨を表示し、処理を終了する。
【００５６】
不揮発メモリカード２３１への転送が終了すると、転送を行わない場合同様に、充電式電池２２９への充電の終了を確認し（ステップＳ９）、表示部１２１にデータの転送が終了した旨を表示し処理を終了する。
【００５７】
図４は、本実施の形態の充電器２００の不揮発メモリカード２３１から携帯電話機１００の個人データ用メモリ１０６にデータを書き戻す（リストア）する動作を示すフローチャートである。図５及び図６は、大型表示部１０８が表示する画面の一例である。
【００５８】
携帯電話機１００の充電端子１２２と充電器２００の充電端子２２５を接続するとともに、携帯電話機１００のデータ入出力端子１２３と充電器２００のデータ入出力端子２２６を接続する（ステップＳ１１）。
【００５９】
充電器２００を交流電源３００と接続する（ステップＳ１２）。ここまでの接続が完了したら、携帯電話機１００内の充電式電池１１９に充電を開始する（ステップＳ１３）。
【００６０】
充電制御部２２９はデータバックアップ制御部２３０に対して不揮発メモリカード２３１に保存されるデータを、携帯電話機１００内の個人データ用メモリ１０６に書き戻すことを要求する（ステップＳ１４）。
【００６１】
データバックアップ制御部２３０は、データ入出力端子２２６及び１２３を介して携帯電話機１００の制御部１０２に対して充電器２００内の不揮発メモリカード２３１に保存されたデータを、携帯電話機１００の個人データ用メモリ１０６に転送することを要求する（ステップＳ１５）。
【００６２】
制御部１０２は、データバックアップ制御部２３０から要求に対して充電器２００内の不揮発メモリカード２３１に保存されるデータを個人データ用メモリ１０６に転送するか否かという判断を使用者に仰ぐために、大型表示部１０８に図５に示すメッセージを表示する（ステップＳ１６）。
【００６３】
使用者によってキー入力部１０７の０キーが押された、又はタイマー１０９の計測時間内に図５の表示内容に対して使用者が何の反応も示さない場合（ステップＳ１７／Ｎｏ）、制御部１０２はバックアップ保存したデータをリストアする旨をデータバックアップ制御部２３０に伝える（ステップＳ１８）。
【００６４】
データバックアップ制御部２３０はリストアする旨が伝えられると、まず携帯電話機１００の使用者の識別情報を不揮発メモリカード２３１から、データ入出力端子２２６及びデータ入出力端子１２３を介して、携帯電話機１００の制御部１０２に送る（ステップＳ１９）。
【００６５】
制御部１０２は、個人データ用メモリ１０６に保存している使用者の識別情報から、充電器２００の不揮発メモリカード２３１から転送された識別情報を検索し（ステップＳ２０）、存在した場合（ステップＳ２０／Ｙｅｓ）、充電器２００のデータバックアップ制御部２３０に残りのデータの転送を要求し、データバックアップ制御部２３０はデータを転送する（ステップＳ２４）。
【００６６】
不揮発メモリカード２３１への転送が終了すると、充電式電池２２９への充電の終了を確認し（ステップＳ２５）、表示部１２１にデータの転送が終了した旨及び充電が終了した旨を表示し処理を終了する。
【００６７】
ステップＳ１５において、使用者によって１キーが押された場合（ステップＳ１７／Ｙｅｓ）、不揮発メモリカード２３１に保存されるデータの転送は行わず、充電式電池１１９の充電の終了を確認し（ステップＳ２５）、表示部１２１に例えば、ＬＥＤ（発光ダイオード）などを使って、その旨を表示し処理を終了する。
【００６８】
また、ステップＳ１８において、不揮発メモリカード２３１から転送された識別情報が存在しなかった場合（ステップＳ２０／Ｎｏ）、携帯電話機１００の制御部１０２は、表示部１２１に、図６に示すような識別情報を入力する旨を示す画面を表示して使用者に識別情報を入力させる（ステップＳ２１）。
【００６９】
制御部１０２は使用者に入力させた識別情報を不揮発メモリカード２３１から転送された識別情報と比較し（ステップＳ２２）、一致した場合は（ステップＳ２２／Ｙｅｓ）、ステップＳ２４に進み、充電器２００のデータバックアップ制御部２３０に残りのデータの転送を要求し、データバックアップ制御部２３０はデータを転送する（ステップＳ２４）。
【００７０】
また、識別情報が一致しなかった場合（ステップＳ２２／Ｎｏ）、制御部１０２はデータバックアップ制御部２３０に対してデータを転送する旨の要求を取り下げて（ステップＳ２３）、ステップＳ２３に進み、充電式電池２２９への充電が終了を確認し（ステップＳ２５）、表示部１２１にその旨を表示し、処理を終了する。
【００７１】
不揮発メモリカード２３１は充電器２００に対して電源が供給されていない場合か、携帯電話機１００の大型表示部１０８に不揮発メモリカード２３１を取り外すよう指示が表示された場合に取り外すことができる。
【００７２】
充電器２００に対して電源が供給されていない場合とは、充電器２００と交流電源３００が接続されていない状態を指す。
【００７３】
携帯電話機１００の大型表示部１０８に不揮発メモリカード２３１を取り外すよう指示が表示される場合とは、不揮発メモリカード２３１の容量がバックアップの対象となる携帯電話機１００の個人データ用メモリ１０６の容量より小さい場合に、携帯電話機１００の制御部１０２が使用者に対して充電器２００内の不揮発メモリカード２３１の交換を促す場合である。この場合、制御部１０２は充電器２００のデータバックアップ制御部２３０に対して、不揮発メモリカード２３１への電源供給を遮断する指示を送っておく。
【００７４】
なお、上記の実施の形態では、携帯端末として携帯電話機を用いているが、ＰＤＡ（Personal Data Assistants）を用いてもよい。
【００７５】
［本発明の他の実施の形態］  
他の実施の形態として、その基本的構成は上記の通りであるが、携帯電話機１００の使用者の識別情報として、文字や数値を使用するだけでなく、虹彩や網膜のパターンを利用してもよい。この場合、カメラモジュール１２０を利用して、これらの画像を撮影することで携帯電話機１００の中に取り込む。
【００７６】
さらに、図７のように指紋認証部を設けて、指紋を入力させて識別する方法もある。
【図面の簡単な説明】
【００７７】
【図１】本発明の第１の実施の形態の携帯電話機１００と充電器２００の構成を示すブロック図である。
【図２】本発明の第１の実施の形態の携帯電話機１００の個人データ用メモリ１０６から充電器２００の不揮発メモリカード２３１にデータを保存する動作を示すフローチャートである。
【図３】大型表示部１０８が表示する画面の一例である。
【図４】本発明の第１の実施の形態の充電器２００の不揮発メモリカード２３１から携帯電話機１００の個人データ用メモリ１０６にデータを書き戻す（リストア）する動作を示すフローチャートである。
【図５】大型表示部１０８が表示する画面の一例である。
【図６】大型表示部１０８が表示する画面の一例である。
【図７】本発明の他の実施の形態の携帯電話機１００と充電器２００の構成を示すブロック図である。
【符号の説明】
【００７８】
１００  携帯電話機
２００  充電器
３００  交流電源
１０２  制御部
１０３  メモリ部
１１８  電源制御部
１１９  充電式電池
１２２  充電端子
１２３  データ入出力端子  
２２５  充電端子
２２６  データ入出力端子
２２８  ＡＣ／ＤＣ部
２２９  充電制御部
２３０  データバックアップ制御部
２３１  不揮発メモリカード
【図１】
2005260461.tif 000003
【図２】
2005260461.tif 000004
【図３】
2005260461.tif 000005
【図４】
2005260461.tif 000006
【図５】
2005260461.tif 000007
【図６】
2005260461.tif 000008
【図７】
2005260461.tif 000009